Podtech/llm-jp-corpus-v4-ja_patent huggingface dataset:
(57)【要約】   【課題】  陰茎挿入孔から袋体の中へ陰茎を収容し、陰茎の根元を固定テープで固く縛ると、尿が出にくくなり、緩く縛ると袋体が外れて下着を汚す恐れがある。  【解決手段】  柔軟で適度の厚みを有する素材で、陰茎の茎部に抱持させる内包部材を成形し、硬質で厚みの薄い素材で外包部材を成形し、外包部材の内面と、外包部材の一方の端部外縁面に、人体に無害であると共に接着力が抜群で、然も着脱が容易な材質の接着剤を塗布し、内包部材に外包部材を重ね合わせ一体に合着して本体を形成し、陰茎の亀頭部に被せる柔軟な尿溜め袋の開口部を、内包部材の下端部外面と外包部材の下端部内面との間に糊代だけ差し入れ、内包部材を陰茎の茎部に巻き付けて抱持させ、その両端部を閉じ合わせると共に糊付した外包部材の一方の端部外縁面に、他方の端部内縁面を尿漏れしないように合着し、尿溜め袋の内部に吸水材を装入した男性用尿取り具。  【選択図】  図３
0003107689.tif 000002
【実用新案登録請求の範囲】
【請求項１】
ゴム材製又はシリコン樹脂材製の、柔軟で適度の厚みを有する素材を用い、陰茎の茎部に抱持させる方形の内包部材を成形し、内包部材より硬質で厚みの薄いゴム材製又はシリコン樹脂材製の素材を用いて方形の外包部材を成形し、外包部材の内面と、外包部材の一方の端部外縁面に、人体に無害であると共に接着力が抜群で、然も着脱が容易な材質の接着剤を塗布し、内包部材に外包部材を重ね合わせ一体に接着して本体を形成し、陰茎の亀頭部に被せる柔軟な尿溜め袋の開口部を、内包部材の下端部外面と外包部材の下端部内面との間に糊代だけ差し入れ、内包部材を陰茎の茎部に巻き付けて抱持させ、その両端部を閉じ合わせると共に糊付した外包部材の一方の端部外縁面に、他方の端部内縁面を尿漏れしないように合着し、尿溜め袋の内部に吸水材を装入して成る男性用尿取り具。
【考案の詳細な説明】
【技術分野】
【０００１】
本考案は男性用尿取り具に関する。
【背景技術】
【０００２】
耐水性シートを素材とする、陰茎を収容可能な袋体の底部に吸水性部材を入れ、袋体の上部に多数の空気孔を、上部背面に陰茎挿入孔を設け、袋体の上端に腰巻用テープを設けた男性用尿取り具がある。
【０００３】
例えば
【特許文献１】特開２００２−３０６５２５号公報
【考案の開示】
【考案が解決しようとする課題】
【０００４】
陰茎挿入孔から袋体の中へ陰茎を収容するものであり、陰茎の根元を固定テープで縛っている。尿が漏れないように根元を固く縛ると尿が出にくくなり、緩く縛ると袋体が外れて下着を汚す恐れがある。
【課題を解決するための手段】
【０００５】
ゴム材製又はシリコン樹脂材製の、柔軟で適度の厚みを有する素材を用いて、陰茎の茎部に抱持させる方形の内包部材を成形し、内包部材より硬質で厚みの薄いゴム材製又はシリコン樹脂材製の素材を用いて方形の外包部材を成形し、外包部材の内面と、外包部材の一方の端部外縁面に、人体に無害であると共に接着力が抜群で、然も着脱が容易な材質の接着剤を塗布する。
【０００６】
内包部材に外包部材を重ね合わせて一体に接着する。
【０００７】
接着剤としては最近、紐無し乳房パットに用いられている糊材を用いる。
【０００８】
陰茎の亀頭部に被せた柔軟な尿溜め袋の開口部を、内包部材の下端部外面と外包部材の下端部内面との間に、適当な糊代だけ差し入れ、内包部材を陰茎の茎部に巻き付け抱持させて両端部を閉じ合わせると共に、糊付した外包部材の一方の端部外縁面に、外包部材の他方の端部内縁面を合着し尿漏れしないように装着する。
【０００９】
尿溜め袋の内部に吸水材を装入する。吸水材として高分子ポリマー吸水布を使用する。
用する。
【００１０】
内包部材の外面に多数の小突起群を設けて空気の流通を図り、陰茎の茎部が蒸れないようにする。
【００１１】
尿溜め袋は使い捨てにし、重ね合わせて一体に合着した内包部材と外包部材とからなる本体から尿溜め袋を簡単に着脱し、取り替えを容易にすることを目的とする。
【考案の効果】
【００１２】
尿溜め袋は使い捨てにし、重ね合わせて一体に合着した内包部材と外包部材とからなる本体から尿溜め袋を簡単に着脱でき、取り替えが容易であると共に、尿溜め袋は亀頭部から妄りに離脱しない。
【００１３】
内包部材と外包部材とからなる本体は洗浄して再使用できる。
【００１４】
陰茎の茎部が蒸れない。
【００１５】
尿溜め袋の内部に装入した吸水材で尿を保水するから尿漏れを防止できる。
【考案を実施するための最良の形態】
【００１６】
図１は、本考案に係る内包部材と外包部材とから成る本体を展開し、本体の下部に本考案に係る尿溜め袋を接着させる状態を示す平面図、図２は、本体を
陰茎の茎部に巻き付け合着させた状態を示す一部断面平面図、図３は、使用状態を示す斜視図である。
【００１７】
ゴム材製又はシリコン樹脂材製の、柔軟で適度の厚みを有する素材を用いて、陰茎の茎部に抱持させる方形の内包部材１を成形し、内包部材１より硬質で厚みの薄いゴム材製又はシリコン樹脂材製の素材を用いて方形の外包部材２を成形し、外包部材２の内面と、外包部材２の一方の端部外縁面２ａに、人体に無害であると共に接着力が抜群で、然も着脱が容易な材質の接着剤を塗布する。
【００１８】
内包部材１に外包部材２を重ね合わせて一体に接着する。
【００１９】
接着剤としては最近、紐無し乳房パットに用いられている糊材を用いる。
【００２０】
陰茎の亀頭部３に被せた柔軟な尿溜め袋４の開口部を、内包部材１の下端部外面と外包部材２の下端部内面との間に、適当な糊代４ａだけ差し入れ、内包部材を１陰茎の茎部５に巻き付け抱持させて両端部を閉じ合わせると共に、糊付した外包部材２の一方の端部外縁面２ａ外包部材の一方の端部外縁面に、外包部材の外包部材２の一方の端部外縁面２ａに、外包部材２の他方の端部内縁面を合着し尿溜め袋４を尿漏れしないように装着する。
【００２１】
尿溜め袋４の内部に吸水材６を装入する。吸水材６として高分子ポリマー吸水布等を使用する。
【００２２】
内包部材１の外面に多数の小突起群１ａを設けて空気の流通を図り、陰茎の茎部５が蒸れないようにする。
【００２３】
尿溜め袋４は使い捨てにし、重ね合わせて一体に合着した内包部材と外包部材とからなる本体７から尿溜め袋４を簡単に着脱し、取り替えを容易にする。
【産業上の利用可能性】
【００２４】
高齢者社会の到来が確実な現今において、老人福祉のため、介護を要する者のみならず、頻尿者にも自身で取り替えることができるため市場性の有望な考案である。
【図面の簡単な説明】
【００２５】
【図１】本考案に係る内包部材と外包部材とから成る本体を展開し、本体の下部に尿溜め袋を接着させる状態を示す平面図。
【図２】本体を陰茎の茎部に巻き付け合着させた状態を示す一部断面平面図。
【図３】本考案の使用状態を示す斜視図。
【符号の説明】
【００２６】
１  内包部材  ２  外包部材    ３  亀頭部    ４  尿溜め袋    
５  陰茎の茎部    ６  吸水材    ７  本体        
【図１】
0003107689.tif 000003
【図２】
0003107689.tif 000004
【図３】
0003107689.tif 000005
(57)【要約】      （修正有）【課題】駐車スペースのどの位置にも設置することができ、どの位置からでも駐車スペースの利用者や所有者が容易に確認することができる。【解決手段】本体１を強化プラスティックやゴム等の素材を使用し、底面積を上面積より広く持ち、傾斜した側面を持つ形状で、自動車の最低地上高よりも低い高さにした構造を持つ駐車位置明示器具である。名前や番号、マーク等の識別表示２は、本体の側面と、必要に応じて上面にも表示することができる。その為、駐車場の地面上のどの位置からでも確認しやすくなる効果があり、破損しにくく、自動車が支障なく乗り越えることができ、かつ、駐車スペースの確認しやすいどの位置にも設置することができる。【選択図】図１
0003107613.tif 000002
【実用新案登録請求の範囲】
【請求項１】
本体を破損しにくくする為に、強化プラスティックやゴム等の素材を使用し、
底面と、上面と、底面から上面にかけて傾斜した側面とを有し、底面積が上面積より大きい形状を備えたことを特徴とする駐車位置明示器具。
【請求項２】
名前、番号またはマーク等の表示を本体の側面または上面に有することを特徴とする請求項１に記載の駐車位置明示器具。
【請求項３】
自動車が支障なく乗り越えられるように、自動車の最低地上高よりも低い高さを有することを特徴とする請求項１または２に記載の駐車位置明示器具。
【考案の詳細な説明】
【技術分野】
【０００１】
本考案は、身障者等の特定の駐車スペースの利用者を表示するために使用する駐車位置明示器具に関するものである。
【背景技術】
【０００２】
駐車場の特定の利用者には従来、その表示を明示する方法として、駐車スペースの床面そのものに名前、番号、マーク等を書く方法か、駐車スペース後方に看板等を立てるか、壁やフェンス等を利用して名前、番号、マーク等を書いたプレート等を掲示する方法等があった。また、駐車スペースに名前やマークを記載したカラーコーン等を置く方法もあった。
【考案の開示】
【考案が解決しようとする課題】
【０００３】
しかし前述の方法では、目立ちにくく確認しづらいという問題があり、また、駐車スペースに車輌を駐車すると表示が車輌に隠れてしまい、見えにくくなり、特定の利用者以外のものが誤って駐車してもそれに気付かず、正当な利用者が駐車できないという問題があった。また、駐車スペースにカラーコーン等を置く方法は、特に身障者が駐車スペースを利用する場合、カラーコーン等を移動することが困難な為に、結局駐車スペースを利用できないということも考えられる。
【課題を解決するための手段】
【０００４】
そこで本考案は、上記のような問題を次のように改善するものである。請求項より、本体を破損しにくくする為に、強化プラスティックやゴム等の素材を使用し、かつ、底面積を上面積より広く持ち、傾斜した側面を持つ形状で、自動車が支障なく乗り越えられるように、自動車の最低地上高よりも低い高さにした、特定の利用者や身障者、又は高齢者専用の駐車表示に適した駐車位置明示器具を提供する。また該駐車位置明示器具は、本体の形状が立方体であるため、名前や番号、マーク等を側面及び上面に表示できることを最も主要な特徴とする。その為、駐車場の地面上のどの位置からでも確認しやすくなる効果があり、駐車スペースの確認しやすいどの位置にも設置できる。
【考案の効果】
【０００５】
本考案の駐車位置明示器具は、駐車スペースのどの位置にも設置することができるのであるが、例えば駐車スペースの自動車が入る入り口付近に設置することによって駐車場のどの位置からでも駐車スペースの利用者や所有者が容易に確認することができる。
【０００６】
また、その設置の方法では、駐車スペースに特定の利用者や契約者の車輌が駐車されているときは、駐車位置明示器具は車輌のナンバープレート下に位置することになるので、例えば本体に車輌のナンバープレートと同様に表示すると、駐車スペースの利用者だけでなく、駐車場の管理者やそれ以外の第三者でも一目瞭然で判別でき、誤駐車への対応がすばやくできる。
【０００７】
また、駐車位置明示器具を駐車スペースの自動車の入り口付近に設置すると、障害物が置いてあるのと同様な心理効果を発揮するため、不法駐車される確率も減少する効果があると考えられる。
【考案を実施するための最良の形態】
【０００８】
本考案の実施例を図1から図3を参照しながら説明する。
本考案は、図１(a)、(b)のように本体の側面全体及び上面に名前や番号、マーク等の識別表示２を表示し、図２のように地面に設置して使用するのであるが、図３(d)で示したように本体下部に床面設置用の取り付けプレート３を介して地面に設置することも可能であるし、本体１を直接ネジ止めや、強力な接着剤で固定し、設置することも可能である。
【０００９】
本体１は、強化プラスティックやゴム等の、破損に強い素材を使用し、底面積を上面積より広く持ち、傾斜した側面を持つ形状に加工する。また、高さについても自動車の最低地上高よりも低い高さに構成することが好ましい。
【００１０】
本考案は、図１(a)、(b)にあるように、自由に識別表示を設定することができる。例えば名前等は本体１に直接書くこともできるし、市販の身障者マークや高齢者マークを貼って使用することもできる。
【００１１】
また、本体１の色、または識別表示２を表示する手段はどのようなものでもよいのであるが、蛍光塗料や夜光塗料を使用すれば、夜間の視認性が高くなると考えられる。
【００１２】
本考案の駐車位置明示器具は上記のように構成されたもので、車を駐車スペースへ駐車する際には、駐車位置明示器具が設置してあっても、従来通りに自動車の運転をすれば良い。自動車が乗り越えられるように、駐車位置明示器具の高さが自動車の最低地上高よりも低い高さで構成されている為である。
【００１３】
このようにして設置された駐車位置明示器具は、傾斜した側面全体及び上面に識別表示を表示できる為、ドライバーから見てその駐車スペースの使用者または利用者が簡単に確認できる。
【図面の簡単な説明】
【００１４】
【図１】(a)は識別表示を身障者用にしたときの斜視図であり、(b)は識別表示を文字等にしたときの斜視図である。
【図２】駐車位置明示器具の側面図である。
【図３】(c)は駐車位置明示器具の全体を上部から見たときの上面図であり、(d)は床面に設置用の取付プレートを本体裏面に取付けたときの裏面図である。
【符号の説明】
【００１５】
１  本体
２  識別表示
３  床面設置用取付プレート
４  床面固定用ネジ
【図１】
0003107613.tif 000003
【図２】
0003107613.tif 000004
【図３】
0003107613.tif 000005
(57)【要約】【課題】従来の袖瓦は耐震性及び耐風性に劣る。【解決手段】瓦部１の何方か一側方に側垂れ２を一体形成した袖瓦であって、瓦部１の頭側裏面に、瓦部１の尻側端部を差込み可能な鉤状の係合突起３を一体形成した防災袖瓦を葺設する際に、葺設する防災袖瓦における係合突起３における差込凹部６内に、葺設状態の防災袖瓦の尻側端部を差し込む様にして、葺設状態の防災袖瓦の尻側に葺設する防災袖瓦の頭側を重ねることによって、下方の防災袖瓦の尻側に上方の防災袖瓦の頭側を固定して該頭側の浮き上がりを防止する。【選択図】図４
0003107616.tif 000002
【実用新案登録請求の範囲】
【請求項１】
瓦部の何方か一側方に側垂れを一体形成した袖瓦であって、瓦部の頭側裏面に、瓦部の
尻側端部を差込み可能な鉤状の係合突起を一体形成したことを特徴とする防災袖瓦。
【請求項２】
係合突起を、瓦部の頭側裏面における側垂れ付近の部位に設けると共に、係合突起の側
垂れ側を該側垂れと一体化し、側垂れを瓦部の尻側端面に到達しない様に形成したことを
特徴とする請求項１記載の防災袖瓦。
【考案の詳細な説明】
【技術分野】
【０００１】
本考案は、葺設状態において耐震性及び耐風性を有する様にした防災袖瓦に関する。
【背景技術】
【０００２】
従来、切妻屋根面の両側部に葺設する左右の袖瓦にあっては、瓦部の左右の何方か一側
方に側垂れを形成し、瓦部の頭側の幅を側垂れの厚み分外側へ広くすると共に、当該側部
に沿って側垂れを形成したものが一般的に使用されている。
【０００３】
研究開発段階や出願段階で先行技術調査を行っておらず、記載すべき先行技術文献を知
りません。
【考案の開示】
【考案が解決しようとする課題】
【０００４】
しかし、上記従来技術にあっては、確かに側垂れをオーバーラップさせることで側垂れ
間からの雨水の侵入を防止出来るが、葺設状態において頭側部位を固定出来ず、よって強
風・強震時に葺設状態の袖瓦の頭側が浮き上がってしまうため、戻った位置が葺設位置と
ズレてしまったり、最悪のケースとしては袖瓦が吹き飛んだり、屋根から落下してしまう
可能性が非常に高くなってしまうなど、解決せねばならない課題があった。
【課題を解決するための手段】
【０００５】
本考案は、上記従来技術に基づく、従来の袖瓦は耐震性及び耐風性に劣る課題に鑑み、
瓦部の何方か一側方に側垂れを一体形成した袖瓦であって、瓦部の頭側裏面に、瓦部の尻
側端部を差込み可能な鉤状の係合突起を一体形成した防災袖瓦を葺設する際に、葺設する
防災袖瓦における係合突起における差込凹部内に、葺設状態の防災袖瓦の尻側端部を差し
込む様にして、葺設状態の防災袖瓦の尻側に葺設する防災袖瓦の頭側を重ねることによっ
て、下方の防災袖瓦の尻側に上方の防災袖瓦の頭側を固定可能にして、上記課題を解決す
る。
【考案の効果】
【０００６】
要するに本考案は、瓦部の何方か一側方に側垂れを一体形成した袖瓦であって、瓦部の
頭側裏面に、瓦部の尻側端部を差込み可能な鉤状の係合突起を一体形成したので、葺設状
態における上方の防災袖瓦の係合突起と、下方の防災袖瓦の尻側端部を係合させることで
、葺設状態における防災袖瓦の頭側をその下方の防災袖瓦の尻側に固定することか出来る
ため、その他の桟瓦にも防災構造を具備させたものを使用すれば、完璧な防災機能を具備
した瓦屋根を構築することが出来る。
【０００７】
葺設状態の袖瓦は側垂れ側の側部から捲れ上がり易いが、係合突起を、瓦部の頭側裏面
における側垂れ付近の部位に設けたので、葺設状態における防災袖瓦の頭側の固定部位が
側垂れ側寄りに位置するため、かかる側部から捲れ上がり難くすることか出来る。
又、係合突起の側垂れ側を該側垂れと一体化したので、係合突起の強度の向上を図るこ
とが出来るため、保管・搬送・葺設時における係合突起の欠損事故を抑止することが出来
、而も係合突起を側垂れ付近の部位に設ければ、葺設状態における下方の袖瓦の側垂れが
邪魔になって差し込めないが、側垂れを瓦部の尻側端面に到達しない様に形成したので、
瓦部の尻側端部を確実に係合突起に係合させることが出来る等その実用的効果甚だ大であ
る。
【考案を実施するための最良の形態】
【０００８】
以下、本考案に係る一実施例を図面に基づき説明する。
図１、２で本考案に係る防災袖瓦の底面図及び正面図であり、図３、４は、図１の防災
袖瓦の葺設状態を示す平面図及び図３のＸ−Ｘ断面の拡大図である。
本考案に係る防災袖瓦にあっては、瓦部１の瓦部の何方か一側方に、高さを尻側へ序々
に低く形成した側垂れ２を一体形成し、瓦部１の頭側裏面に鉤状の係合突起３を一体形成
している。
上記係合突起３にあっては、瓦部１の頭側裏面における側垂れ２付近の部位に配置し、
立下部位４の下端より頭側突出部位５を一体形成し、該頭側突出部位５は、瓦部１の頭側
裏面における対向部位と平行に形成している。
そして、頭側突出部位５と瓦部１の頭側裏面間に、頭側で開口する差込凹部６を形成し
ている。この場合、側垂れ２の尻側端部は、瓦部１の尻側端面に到達しない様に形成して
いる。
但し、係合突起３は、その側垂れ２側部位で該側垂れ２に一体化するのが望ましい。
【０００９】
尚、上記実施例における防災袖瓦は、図面上、瓦部の頭側の幅を側垂れの厚み分外側へ
広くすると共に、当該側部に沿って側垂れを形成したものとしているが、かかる形態のも
のに限定せず、図示しないが、瓦部における頭側と尻側の幅を略同じにし、且つ側垂れを
、尻側より頭側の重合部位の境界線までとしたものであってもよい。
【００１０】
次に、本考案に係る防災袖瓦の葺設方法について説明する。
先ず、葺設する防災袖瓦の係合突起３における差込凹部６内に、葺設状態の防災袖瓦の
尻側端部を差し込むことで、葺設する防災袖瓦を、その頭側を葺設状態の防災袖瓦の尻側
に重ねて屋根下地上に載置し、その後釘等により尻側を屋根下地に固定することを繰り返
して、図３、４に示す様に、葺設する。
すると、葺設状態における下方の防災袖瓦の固定された尻側に、上方の防災袖瓦の頭側
が固定されて、該頭側が浮き上がらない。
【図面の簡単な説明】
【００１１】
【図１】本考案に係る防災袖瓦の底面図である。
【図２】図１の防災袖瓦の正面図である。
【図３】図１の防災袖瓦の葺設状態を示す平面図である。
【図４】図３のＸ−Ｘ断面の拡大端面図である。
【符号の説明】
【００１２】
１  瓦部
２  側垂れ
３  係合突起
【図１】
0003107616.tif 000003
【図２】
0003107616.tif 000004
【図３】
0003107616.tif 000005
【図４】
0003107616.tif 000006
(57)【要約】【課題】  本考案は、取っ手を清潔に維持でき、かつ簡単に取り替える事ができる取っ手カバーを提供するものである。【解決手段】  本考案はシステムキッチンの扉、引き出しの取っ手に布製のカバーを取り付けることにより、汚れや錆を防ぐことができる。カバーにベルベットファスナーを採用することで取り付け、取り外しが簡単で洗濯も容易にできる。【選択図】  図１
0003107282.tif 000002
【実用新案登録請求の範囲】
【請求項１】
手の指が収まる布で長方形の布の裏に、布を取っ手に挟んで折り曲げて、取っ手に固定させる一対のベルベットファスナーを間隔をおいて設けた取っ手カバー
【請求項２】
長方形の布の周りにフリルを設けた請求項１記載の取っ手カバー
【考案の詳細な説明】
【技術分野】
【０００１】
本考案は、システムキッチンの扉、引き出し等の取っ手に取り付ける取っ手カバーに関する。
【背景技術】
【０００２】
従来のシステムキッチンの扉、引き出し等の取っ手にカバーを設けることが知られている。例えば特許文献１で前方後円墳型の薄板を布でくるみ人形の上半身年肩部にリング状コムベルト、及び、屈折自在の針金を布でくるんだものを取付け人形の手とし、胴の部分にスベリ止めのゴムを使用した取付け金具をつけるものがある。しかしこれはキッチンの扉、引き出しカバーに不向きである。
【特許文献１】実開昭５６−９４４８６号公報。
【考案の開示】
【考案が解決しようとする課題】
【０００３】
システムキッチンの扉、引き出しの取っ手は、木製、金属製で作られているので、水分、油分、塩分がついている手で直接握ると錆びや汚れが発生し取っ手を痛める問題点がある。システムキッチンの扉、引き出しの取っ手の清掃時数量が多いため、汚れた部分の掃除に手間がかかる。簡単に取っ手を取替えできない。本考案は取っ手を清潔に維持でき、かつ簡単に取り替える事ができる取っ手カバーを提供するるものである。
【課題を解決するための手段】
【０００４】
上記目的を達成する為に本考案におけるシステムキッチンの扉、引き出しの取っ手カバーは布製で手の指が入る範囲の長方形の布で周りにフリルを縫い合わせる。長方形の裏布には、ベルベットファスナーをはずれないように周りを縫う。ベルベットファスナーを縫い付ける位置は両面からはさんで、引張る位置、開ける力で出るしわの深さ、数、握り心地等を良くするためである。布地は調理中の手の水分、油分、塩分、しみ等付着した時、何度でも洗濯に耐えるように綿を使用する。
【考案の効果】
【０００５】
本考案の取っ手カバーは、取っ手に簡単に取り付けることができ、調理中に気兼ねなく扉、引き出しが開けられ取っ手の汚れ錆びを防ぐことができる。汚れたカバーの取り外しも簡単で洗濯も容易である。布は表裏共に同色で調理中の汚れ、手の水分、油分、塩分等目立たなく何度も洗濯に耐える。長方形の周りにフリルを縫い付けることで外観の清潔さを引き出し、家族間でのコミニュケーションが図れる。
【考案を実施するための最良の形態】
【０００６】
考案の実施形態について、図面を参照して説明する
図１、において、扉、引き出しの取っ手１に本考案の取っ手のカバー２を取り付けたものである。カバー２はベルベットファスナー３で結合されている。長方形の布の周りにはフリル
設けてもよい。
図２において、図２(a)の長方形の布４の裏面に図２(b)に示すようにベルベットファスナー３を縫いつける。周りにはフリル５を縫い合わせる。
図３(a)に示すように取っ手カバー２を取っ手１の内側に通し、取っ手１挟むようにして折り曲げ
ベルベットファスナー３を合わせて結合する。引き出しを開ける場合、図３(c) に示すように取っ手カバー２を指でつかんで引張る。
【図面の簡単な説明】
【０００７】
【図１】取っ手にカバーを取り付けた図である。
【図２】取っ手にカバー本体にベルベットファスナー、フリルを取り付けた図である。
【図３】取っ手にカバーを取り付けて指でつかんで取っ手を引く図である。
【符号の説明】
【０００８】
１  取っ手
２  取っ手カバー
３  ベルベットファスナー
４  布地
５  フリル
【図１】
0003107282.tif 000003
【図２】
0003107282.tif 000004
【図３】
0003107282.tif 000005
(57)【要約】      （修正有）【課題】従来、電車の台車でレールの連結部分の隙間を通過する際に出る騒音及び、レールの摩耗を低減する。【解決手段】電車の台車１の前輪３と後輪４の間に補助輪２を取り付けた。【効果】レールの連結部分を通過する際、前輪がレールの連結部分を通過しても間に補助輪を取り付けることによって、台車の荷重を補助輪で支えられる為、前輪がレール連結部分のわずかな隙間に落ち込むのを防ぎ、補助輪がレール連結部分の隙間を通過する時は前輪と後輪が荷重を支え、後輪がレール連結部分を通過するときは補助輪が台車の荷重を支える事ができる為、レール連結部分を通過するときに出る電車特有の騒音が減り、また、電車の台車がレール連結部分の隙間を通り、落ち込む時に生じるレールの摩耗、台車の車輪の摩耗を低減することができる。【選択図】図１
0003107290.tif 000002
【実用新案登録請求の範囲】
【請求項１】
電車の台車１の車輪２の間に補助輪３を取り付けけ、レールの摩耗と騒音を低減できるようにした電車の台車。
【考案の詳細な説明】
【考案の詳細な説明】
【考案が解決しようとする課題】
【０００１】  従来、電車の台車でレールの連結部分の隙間を通過する際に出る騒音及び、レールの摩耗を低減できるものは無かった。
【課題を解決するための手段】
【０００２】  上記目的を達成するために、電車の台車の車輪の間に補助輪を取り付けるようにした。
【考案の効果】
【０００３】  このようにすれば、レールの連結部分を通過する際、前輪がレールの連結部分を通過しても間に補助輪を取り付けることによって、台車の荷重を補助輪で支えられる為、前輪がレール連結部分のわずかな隙間に落ち込むのを防ぎ、補助輪がレール連結部分の隙間を通過する時は前輪と後輪が荷重を支え、後輪がレール連結部分を通過するときは補助輪が台車の荷重を支える事ができる為、レール連結部分を通過するときに出る電車特有の騒音が減り、また、電車の台車がレール連結部分の隙間を通り、落ち込む時に生じるレールの摩耗、台車の車輪の摩耗を低減することができる。
【図面の簡単な説明】
【図１】  電車の台車車輪の側面図である。
【符号の説明】
１  電車の台車
２  補助輪
３  前輪
４  後輪
５  レール
６  レールの隙間
７  車体
８  重心
【図１】
0003107290.tif 000003
(57)【要約】【要求】【課題】  本考案は携帯電話に光りによる自動充電器を設置し、通話不能の状態を防ぐためである【解決手段】  本考案は携帯電話の外壁面に光りを集めるミラーを設置し、内部に自動充電器を設置することによって、常に充電し続けるため通話不能の状態を防ぎ、光りによるエネルギー充電のため省エネルギーである。【選択図】  図１
0003107225.tif 000002
【実用新案登録請求の範囲】
【請求項１】
携帯電話に光り発電を内蔵し、充電をコンセントを通してとらなくても光りのある場所なら常に充電をしてくれる充電器内蔵型携帯電話である。
【考案の詳細な説明】
【技術分野】
【０００１】  本考案は、光りによる充電器を内蔵することによって自動的に充電する携帯電話に関するものである。
【背景技術】
【０００２】  携帯電話の充電がコンセントがないと、とれなかったので緊急時に電話がかけられないことが生じていた。
【考案の開示】
【考案が解決しようとす課題】
【０００３】  常に充電しているため電話の通話不能の状態を防ぐ。
【課題を解決するための手段】
【０００４】  本考案は、携帯電話に光りによる自動小型充電器を携帯電話に内蔵したものである。
【考案の効果】
【０００５】  常に充電し続けてくれるため電話の通話不能の状態を防ぎかつ、光によるエネルギー充電のため省エネルギーである。
【考案を実施するための最良の形態】  携帯電話の通話口と反対面にあたる部分に光を集めるミラーを設置し、内部に小型充電器設置する。
光を集めるミラーは、液晶画面の周りに取り付けてもよい。
携帯電話の外壁面なら光を吸収するため何処でも設置可能である。
【図面の簡単な説明】
【０００６】
【図１】図は携帯電話の充電器設置箇所の一例である。
【図１】
0003107225.tif 000003
(57)【要約】【課題】  瓶状の物体や、筒状の物体内部を洗浄するための柄付きブラシの欠点は、非洗浄物から離脱する際に起こる汚れや洗浄液の飛散である。この飛散は、ブラシを使用する者や機械にとって有害な事象である。本発明の課題は、ブラシによる瓶や筒状の内部洗浄時に不可避であった汚れや液体の飛散を防止することである。【解決手段】  本発明は、使用者の任意において着脱可能なフード（覆い）により、飛び散りを完全に防止することが出来た。【選択図】図１
0003107223.tif 000002
【実用新案登録請求の範囲】
【請求項１】
着脱可能なフードによりブラシ毛に付着した液体の飛散を防止する機能を有するブラシ。
【考案の詳細な説明】
【技術分野】
【０００１】    本発明は、瓶状および筒状の物体内部を洗浄するために用いるブラシに関する。
【背景技術】
【０００２】ブラシは、ブラシの毛による擦過により、非洗浄物に付着した汚れを落とす機能を持つ。このブラシの洗浄能力の源は、毛の弾性であり、毛の自然状態への復元能力である。瓶状や筒状の物体内部を洗浄するためには、ブラシの毛をこれらの内壁に適度な力で押し付ける必要がある。このため、筒状物体内部洗浄には、洗浄される物体の内径よりも大きな外径を持つ柄付きブラシを利用する。また、ブラシで効率的に瓶状物体の内部を洗浄するためには、ブラシ部分の適度な大きさが必要である。このため、多くの場合瓶口の内径よりも大きな外径を持つブラシを用いる。よって、既存の柄付きブラシを用いて瓶や筒などの内部を効率的に洗浄しようとする際には、瓶口や筒口からの離脱時に汚れ並びに洗浄液の飛散が起こる。この汚れ並びに洗浄液の飛散は、効率的な洗浄を行うためには不可避でありながら、ブラシを使用する者や機械にとって非常に有害な事象である。本発明は、使用者の任意において着脱可能なフード（覆い）により、飛び散りを完全に防止することが出来た。
【考案の開示】
【考案が解決しようとする課題】
【０００３】    瓶状の物体や、筒状の物体内部を洗浄するための柄付きブラシの欠点は、非洗浄物から離脱する際に起こる汚れや洗浄液の飛散である。この飛散は、ブラシを使用する者や機械にとって有害な事象である。本発明の課題は、ブラシによる瓶や筒状の内部洗浄時に不可避であった汚れや液体の飛散を防止することである。
【課題を解決するための手段】
【０００４】    着脱フードによりブラシ毛に付着した液体の飛散を防止する機能を有するブラシ。
【考案の効果】
【０００５】    本発明は、使用者の任意においてブラシの毛の動きを抑制し、毛の自然状態への復元を使用者の制御できる任意の速度で行わせることを、着脱式のフード（覆い）によって可能にした。これによって、洗浄時に不可避であった汚れや液体の飛散が飛躍的に防止できた。
【考案を実施するための最良の形態】
【０００６】    柄付きブラシにおける柄の部分に上下にスライド可能なブラシフードを装着する。ブラシフードの内径がブラシ部外径よりも大きい場合は、瓶口や筒口からブラシ部を離脱した際に飛び散る液体をフードによって受け止めることで、飛散防止を行うことが出来る。しかし、この場合フードが大きい分、使用に不都合がある。そこで、フードを蛇腹式などの伸縮素材を用いて形成することによってフード部の大きさを抑制できた。また、ブラシの使用頻度が高い場合は、ブラシフードに伸縮性のない耐久性のある素材で作製し、その内径をブラシ部に装着した際にブラシ毛の動きを抑制できる程度小さな内径を持たせる。
【実施例１】
【０００７】    フード部は柄に沿って上下可能であり、ブラシ毛部分を完全に覆うことが出来る長さを持つ。本フードはブラシ部の外形よりもフード内径を小さく作製した。また、大きさの異なる瓶口に適合するためにフードの入り口をラッパ状に広げた。本ブラシの使用においては、先ず瓶及び筒の内部からブラシ部を離脱する際、あらかじめフードを瓶口に接触させる。次に、ブラシ毛をフード内に格納しながら瓶口及び筒内部からブラシを離脱させて用いる。その後、ブラシ毛の復元速度を制御しながら、液体の飛散を抑制する速度で、フードをブラシ部から離脱する。
【実施例２】
【０００８】家庭など、使用頻度が低く、ブラシ本体の長さを十分に小さく作製する必要がある場合は、実施例１に記載のブラシフードを蛇腹式にすることにより、フード未使用時フード部の長さを短縮できた。この場合は、フードの内径をブラシ部外径よりも大きく設計した。使用方法は、実施例１と同じである。
【産業上の利用可能性】
【０００９】家庭用並びに業務用のハンドブラシ。もしくは、機械式の洗浄器。
【図面の簡単な説明】
【００１０】
【図１】新規液体飛散防止フードを装着したブラシであり、可動フードが最上点に位置した場合の全体図１Ａと、フードの内径とブラシ外径の関係を示した図１Ｂと、可動フードを最下点に移動した場合の全体図（図１Ｃ）である。最上部にフードを保持し、必要な堵気に移動させるために、軸に固定化した磁石と、フードに固定化した金属を設置した（図１Ａ）。
【図２】新規液体飛散防止蛇腹式フードを装着したブラシであり、可動フードが最上点に位置した場合の全体図（図２Ａ）とフードを最下点に移動した図（図２Ｂ）である。最上部にフードを保持し、必要な堵気に移動させるために、軸に固定化した磁石と、フードに固定化した金属を磁石を設置した（図２Ａ）。
【符号の説明】
【図１】
0003107223.tif 000003
【図２】
0003107223.tif 000004
【手続補正書】
【提出日】平成16年7月15日(2004.7.15)
【手続補正１】
【補正対象書類名】実用新案登録請求の範囲
【補正対象項目名】全文
【補正方法】変更
【補正の内容】
【実用新案登録請求の範囲】
【請求項１】
着脱可能な覆い（フード）を有する柄付きブラシの形状であって、柄に付属し柄に沿って可動でブラシ毛を覆うことが可能な筒状の覆いを有することを特徴とする。
【手続補正書】
【提出日】平成16年9月28日(2004.9.28)
【手続補正１】
【補正対象書類名】実用新案登録請求の範囲
【補正対象項目名】全文
【補正方法】変更
【補正の内容】
【実用新案登録請求の範囲】
【請求項１】
柄に付属し、柄に沿って可動であって、なおかつブラシ毛を覆うことが可能な筒状のフードを有することを特徴とする柄付きブラシ。
(57)【要約】      （修正有）【課題】単月ごと１枚ずつ貼るシールカレンダーの先月と今月のカレンダーを張り替える手間を解消する。【解決手段】２ヶ月分のカレンダーを上下または左右に並べ、片側６ヶ月分または３ヶ月分のシール状のカレンダーを月が交互になるように重ね、１枚ずつはがしていく構造にする事により、この課題を解決する。【選択図】図１
0003107221.tif 000002
【実用新案登録請求の範囲】
【請求項１】
月見出し部を設け、２ヶ月分のカレンダーを上下または左右に並べ、片側６ヶ月分または３ヶ月分のシール状のカレンダーを月が交互になるように重ね、たえず当月と翌月のカレンダーを見る事ができる構造になっており、裏面にシールまたは磁石等が備わったシールカレンダー。
【考案の詳細な説明】
【技術分野】
【００１】  本考案は、携帯電話やパソコン、その他狭い範囲の場所にも貼る事ができるカレンダーに関するものである。
【背景技術】
【００２】  従来、単月ごと１枚ずつ貼るシールカレンダーがあった。
【考案の開示】
【考案が解決しようとする課題】
【００３】  従来のような単月ごと１枚ずつ貼る場合、月が代われば、今まで貼っていたシールカレンダーをはがして、当月のカレンダーと張り替える作業が発生する。また、１枚ずつ貼る為、翌月以降のシールカレンダーを保管しておかなければならないので、紛失する可能性もある。
【課題を解決するための手段】
【００４】  そこで、２ヶ月分のカレンダーを上下または左右に並べ、片側６ヶ月分または３ヶ月分のシール状のカレンダーを月が交互になるように重ね、１枚ずつはがしていく構造にする事により、先月と今月のカレンダーを貼り替える事もなく、翌月以降のシールカレンダーを保管する必要もなくなる。
【考案の効果】
【００５】  よって、本考案のシールカレンダーにより、シールカレンダーを貼り替える事なく使用でき、しかも２ヶ月分が表示されている為、当月と翌月のカレンダーを見る事ができる。また、携帯電話の裏面に貼れば、通話中に日にちの確認を要する時にも、裏面のシールカレンダーを見れば携帯電話を操作する事なく、日にちの確認をする事ができる。
【考案を実施するための最良の形態】
【００６】  本考案に係るシールカレンダーは、図１図２に示すように、月見出し１を設けている。２ヶ月分のシールカレンダーを上下または左右に並べ、片側６ヶ月分または３ヶ月分のシール状のカレンダーを月が交互になるように重ねる。１月のシールカレンダーをはがすと、下から３月のシールカレンダーが現れ、２月をはがすと４月のシールカレンダーが現れる、といった仕組みになっており、たえず当月と翌月のカレンダーを見る事ができる。携帯電話の裏面等に貼る事ができるように、シールカレンダーの裏面にシール、または磁石等が備わっている。素材は紙製、またはビニール製等で形成されるのが望ましい。シールカレンダーの大きさは携帯電話の裏面に貼る事ができるくらいのサイズが良い。
【図面の簡単な説明】
【００７】
【図１】  本考案に係る６ヶ月分のシールカレンダーを左右に並べて重ね、正面から見た状態の図である。
【図２】  本考案に係る６ヶ月分のシールカレンダーを上下に並べて重ね、正面から見た状態の図である。
【符号の説明】
【００８】１  月見出し部
【図１】
0003107221.tif 000003
【図２】
0003107221.tif 000004
(57)【要約】      （修正有）【課題】故意又は不注意によりフックに接触しても、ベルトが刃物に接触しても容易に脱落しない脱落防止ベルトを提供する。【解決手段】ベルト１のフック２にスライドカバー３を設け、ベルト１に容易に切断出来ない強靭な補強材４を取付ける。【選択図】図１
0003107227.tif 000002
【実用新案登録請求の範囲】
【請求項１】
ベルト１を固定するフック２にスライドカバー３を設け、ベルト１に容易に切断出来ない強靭な補強材４を取付けた脱落防止ベルト。
【考案の詳細な説明】
【考案の詳細な説明】
【技術分野】
【０００１】  この考案はベルトのフックにスライドカバーを設け、ベルトに容易に切断出来ない強靭な補強材を取付けた脱落しにくいベルトに関するものである。
【背景技術】
【０００２】  従来、ベルトのフックにはフックを外しにくくするカバーや容易に切断出来ない強靭な補強材を取付けたベルトがなかった。
【考案が解決しようとする課題】
【０００３】  これは次のような欠点があった。
（ア）ベルトのフックにカバーが無いので故意又は不注意によりフックに接触すると、フックがはずれベルトが脱落する恐れがある。
（ロ）ベルトに、容易に切断出来ない強靭な補強材が取付けられていないのでベルト切断の可能性がある。
本考案は、これらの欠点を除くためになされたものである。
【課題を解決するための手段】
【０００４】  ベルト１を固定するフック２にスライドカバー３を設け、ベルト１に容易に切断出来ない強靭な補強材４を取付けた、脱落防止ベルトである。
【考案を実施するための最良の形態】
【０００５】  ベルト１のフック２を掛け、ベルト１に取り付けたスライドカバー３をフック２の位置までスライドさせる。このようなスライドカバー３を設けると、故意又は不注意によるフック２への直接接触が出来無いため、ベルト１の脱落を防止できる。又、ベルト１に容易に切断出来ない強靭な補強材４を取付けると刃物による切断にも耐え、ベルト１脱落の危険性は大幅に減少する。
【実施例】
【０００６】  以下本案の実施例について説明する。
（イ）ベルト１のフック２にスライドカバー３を設ける。
（ロ）ベルト１に容易に切断出来ない強靭な補強材４を取付ける。
【考案の効果】
【０００７】  本案は以上のような構造で、スライドカバー３は当初フック２からずらしておき、フック２を掛けた後にスライドカバー３をフック２の上になるようスライドさせる。これにより故意又は不注意によるフック２への直接接触が出来無い為、ベルト１脱落の危険性は少ない。又、ベルト１には容易に切断出来ない強靭な補強材４を取付けてあるので、刃物による切断の危険性も低下しベルト１脱落の危険性は更に低減される。スライドカバー３の代わりにレバー５を設け、フック２を固定しても良い。
具体的な適用例としてショルダーバッグ、ウェストバッグ又はウェストポーチ等のベルトやストラップに使用すると脱落防止に大きな効果がある。あるいは、外れてはならないバンドやフックに使用することも出来る。
【図面の簡単な説明】
【０００８】
【図１】本考案の正面図である。
【図２】本考案のカバーをスライドさせた図である。
【図３】本考案のレバーの実施図である。
【図４】本考案の実施例の斜視図である。
【符号の説明】
【０００９】１  ベルト
２  フック
３  スライドカバー
４  補強材
５  レバー
６  バッグ
【図１】
0003107227.tif 000003
【図２】
0003107227.tif 000004
【図３】
0003107227.tif 000005
【図４】
0003107227.tif 000006
(57)【要約】【課題】本考案は保管場所に困る色々な鍵と宅配便などの受け取りに使う認印を玄関の美観を損なわずに保管できるものである。【解決手段】本考案は玄関収納・下駄箱扉内側に印鑑ホルダー付鍵掛を取り付けし玄関収納上などに無造作に置かれている鍵や認印を効率よく保管でき玄関の美観を保つ。露出型の鍵掛は訪問者の目に付きやすく防犯上良くないが本考案は鍵を扉の中に仕舞うことにより防犯面でも効果がある。【選択図】  図２
0003107228.tif 000002
【実用新案登録請求の範囲】
【請求項１】
玄関収納及び下駄箱扉の内側に印鑑ホルダーを備えた連装のキーフックを装備する。
【考案の詳細な説明】
【技術分野】
【０００１】本案は印鑑ホルダーを備えた連装の鍵掛を玄関収納及び下駄箱扉内側に取り付けた物である。
【背景技術】
【０００２】家族それぞれの自転車・バイク・車・家などの鍵を玄関下駄箱の上に置いていて玄関の美観を損ねていた。宅配便などの荷物を受け取るときの印鑑置き場に困っていた。
【考案の開示】
【考案が解決しようとする課題】
【０００３】現代では個人の所有する鍵の数は多くなり保管場所を特定しないと紛失の恐れがある。置き場所がない鍵は玄関下駄箱の上などに放置され玄関の美観を損なう。来客をチャイムで知り玄関まで来て宅配便と知り印鑑を取りに戻るような事をなくすため玄関収納及び下駄箱扉内側に印鑑の保管場所を設けた。
【課題を解決するための手段】
【０００４】玄関収納及び下駄箱の扉内側に印鑑ホルダーを備えた連装式の鍵掛を取り付ける。
収納内部に鍵・印鑑が保管されるため美観も損なわず、目に付きにくいため防犯上良い。鍵掛にはシールもしくは印刷などで各々の使用者名などが書き込めるようにする。
【考案の効果】
【０００５】従来ある露出型の鍵掛は鍵掛だと容易にわかり来客時にも目に付きやすく防犯上良くない。また、玄関の美観も損なう。
【考案を実施するための最良の形態】
【０００６】  鍵掛本体はビス又は接着剤・両面テープなどで玄関収納扉内側に固定し使用する。フック部分に鍵を掛ける。印鑑ホルダーに印鑑を収納する。
【実施例】
【０００７】  以下、添付図面に従って一実施例を説明する。１は耐久性のあるプラスチック等適宣素材にて作成された印鑑ホルダー付鍵掛本体、２は本体をビスで固定するためのビス穴であるが接着剤などによる固定でも良い、３のフックに鍵を掛けて保管する、４は印鑑を入れる印鑑ホルダーである、５はシールまたは印刷で鍵の種類・使用者の名前などが記入できるようにしたものである。
【図面の簡単な説明】
【０００８】
【図１】本考案の印鑑ホルダー付鍵掛の全体図である。
【図２】本考案の印鑑ホルダー付鍵掛を下駄箱扉内側取り付けた実施例である。
【符号の説明】
【０００９】１  印鑑ホルダー付鍵掛本体
２  本体取り付け用ビス穴
３  鍵掛け用フック
４  印鑑ホルダー
５  記名用シール
Ａ  実施例
【図１】
0003107228.tif 000003
【図２】
0003107228.tif 000004
【手続補正書】
【提出日】平成16年9月15日(2004.9.15)
【手続補正１】
【補正対象書類名】実用新案登録請求の範囲
【補正対象項目名】全文
【補正方法】変更
【補正の内容】
【実用新案登録請求の範囲】
【請求項１】
扉の内側に印鑑ホルダーを備えた連装のキーフックを装備した玄関収納及び下駄箱。
(57)【要約】【課題】大量の名刺を常に紙ベースで持ち運ぶことは不便であり、名刺をパソコンによりデータベースした場合にもパソコンを持ち運ぶ必要があるとともに使用する場合はいちいちパソコンを立ち上げる必要がある等の不便さを改善する。【解決手段】名刺の印刷イメージおよび印刷されている氏名等をデジタルデータ化するとともに、検索条件により特定の名刺のイメージデータおよび氏名等のデジタルデータを画面上に表示するものであるが、名刺のスキャナによる取り込み、データベース化、検索表示までを名刺サイズにまとめることで、持ち運び使用時の利便が大幅に向上する。【選択図】  図１
0003107222.tif 000002
【実用新案登録請求の範囲】
【請求項１】
紙ベースの名刺をスキャナにより読み込み、名刺の表および裏のイメージをデジタルデータ化するとともに、名刺上の氏名、会社名、住所、電話番号等を自動認識機能によりデジタルデータ化する。また、本考案装置にある画面上に表示される検索条件に対して操作キーにより検索条件を入力または、画面に表示された検索条件をヒットすることにより、該当の名刺のイメージデータならびに登録されている、氏名、会社名等のデジタルデータを表示する。
【考案の詳細な説明】
【技術分野】
【０００１】本考案は、名刺の印刷イメージおよび印刷されている氏名等をデジタルデータ化するとともに、検索条件により特定の名刺のイメージデータおよび氏名等のデジタルデータを画面上に表示するものであるが、名刺のスキャナによる取り込み、データベース化、検索表示までを名刺サイズにまとめたものである。
【背景技術】
【０００２】顧客等から入手した名刺については、紙ベースで管理するかデータベース化してパソコンで管理しているが、紙ベースでは管理が大変であり、さらに全てを持ち運ぶことも大変である。また、パソコンで管理する場合には、パソコンを持ち運ぶ必要があるとともに、使用に際してパソコンを立ち上げる必要があり、外出先等での使用は不便である。【０００３】この改善策として名刺の読み込みから検索結果の表示までを名刺サイズの本考案装置で行うことで持ち運びの利便性と、検索により即時に表示させることが可能である。図１は本考案装置の概観図であり、スキャナ用名刺差込／排出口３から紙ベースの名刺を挿入することにより、装置内のスキャナでイメージをデジタルデータ化するとともに、併せてイメージデータから印刷されている氏名等の文字をデジタルデータ化する。デジタルデータ化された名刺を検索機能により表示画面１に表示させるため、表示画面１に表示された検索画面の入力条件を操作キー２で必要条件を入力する。入力された検索条件により検索された名刺のイメージおよびデータが表示画面１に表示される。【０００４】また、登録した名刺のデータにさらに操作キー２により情報を追加することが出来る。【０００５】  さらに、パソコン用接続端子４と接続ケーブル６を使用することによりこの装置が持っている名刺のデータを別のパソコンに取り込むことが可能である。
【考案の開示】
【考案が解決しようとする課題】
【０００６】  装置を名刺サイズとすることでどこでも名刺の内容およびイメージをデータベース化出来るとともに、検索により画面表示出来ることから、大量の名刺を持ち運ぶ必要がないことを可能とする。
【課題を解決するための手段】
【０００７】  名刺をスキャナに読み込ませてイメージ化および文字認識することでデータベース化する。また、データベース化されたデータに対して画面に表示した検索機能により、検索された名刺のイメージおよびデータを表示する。
【考案の効果】
【０００８】大量の紙ベースの名刺を持ち運ぶ必要がない。また、パソコン等の装置を使用することなく、名刺のイメージおよび内容をデータベース化出来る。さらに、この装置でデータベース化したデータを別のパソコン等にケーブル等を介して転送することが出来る。
【考案を実施するための最良の形態】
【０００９】装置の大きさを名刺サイズとすること、また電源を電池とすることで、いつでもどこでも名刺をイメージ化し、またデータベース化した名刺データの参照可能を実現した。
【図面の簡単な説明】
【００１０】
【図１】本考案装置の概観図である。
【図２】本考案装置の上から見た図および側面図である。
【図３】本考案装置とパソコンを接続する接続ケーブルである。
【符号の説明】
【００１１】１  表示画面
２  操作キー
３  スキャナ用名刺差込／排出口
４  パソコン用接続端子
５  電池蓋
６  接続ケーブル
【図１】
0003107222.tif 000003
【図２】
0003107222.tif 000004
【図３】
0003107222.tif 000005
【手続補正書】
【提出日】平成16年6月14日(2004.6.14)
【手続補正１】
【補正対象書類名】実用新案登録請求の範囲
【補正対象項目名】請求項１
【補正方法】変更
【補正の内容】
【請求項１】
紙ベースの名刺をデジタルデータ化して利用することにおいて
▲１▼本考案装置の構成として、紙ベースの名刺を読み込んでデジタル化するスキャナ機能、デジタルデータ化された名刺のうち、特定の名刺を検索するための条件を入力する操作キーと入力された検索条件をもとに特定の名刺データを検索する検索機能、検索結果の名刺および氏名、会社名、電話番号等のデータを表示する表示画面、および本考案装置で蓄積した名刺データをパソコン等に転送する接続ケーブルからなる。
▲２▼本考案装置の形状は名刺データを表示する表示画面部分の筐体と検索のための操作キー、スキャナ用名刺差込／排出口、イメージデータ等を保存する磁気ディスクおよび処理装置等を格納する筐体から構成されている。
▲３▼本考案装置のスキャナ用名刺差込／排出口から紙ベースの名刺を挿入すると、スキャナにより名刺の表および裏のイメージをデジタルデータ化するとともに、名刺上の氏名、会社名、住所、電話番号等の記載内容をデジタルデータ化する。
▲４▼デジタル化された名刺を本考案装置の表示画面に表示するため、操作キーから検索条件を入力するか、表示画面上の検索条件をヒットすることで検索された名刺のイメージデータおよび氏名、会社名、電話番号等の登録されているデジタルデータを表示画面上に表示する。
▲５▼本考案装置で蓄積している名刺のイメージデータ、氏名、住所、電話番号等のデジタルデータを他のパソコン等に転送する場合は、パソコン用接続端子に接続ケーブルを接続して行う。
以上からなる名刺サイズの自動名刺データベース化装置。
【手続補正書】
【提出日】平成16年9月13日(2004.9.13)
【手続補正１】
【補正対象書類名】実用新案登録請求の範囲
【補正対象項目名】全文
【補正方法】変更
【補正の内容】
【実用新案登録請求の範囲】
【請求項１】
紙ベースの名刺をデジタルデータ化して利用することにおいて、名刺を読み込むスキャナ、特定の名刺データを読み出すための条件を入力する操作キー、名刺データを表示する表示画面、および名刺データをパソコン等に転送するパソコン用接続端子と接続ケーブルからなる名刺サイズの自動名刺データベース化装置。